(57)【要約】【課題】ＦＭスクリーンとした場合に生じる濃度不足の問題についてはＡＭスクリーンとすることで回避でき、又、ＡＭスクリーンとした場合に生じるハイライト部のインキの転移不良や傾斜細線や曲線の輪郭不明瞭・モアレ発生の問題についてはＦＭスクリーンとすることで回避できる、グラビア印刷方法及びグラビア印刷物を提供することを目的としている。【解決手段】複数の印刷ロールを用いて複数色に重ね刷りするグラビア印刷方法において、濃いインキ濃度が必要な墨や白色を印刷するグラビア印刷ロールのセルについてはＡＭスクリーンで形成し、濃いインキ濃度を特に必要とせずむしろ高精細なグラデーションの表現が必要で重ね刷りが行われてもモアレが生じ難い印刷が必要な墨や白色以外の藍、赤、黄等の色を印刷するグラビア印刷ロールのセルについてはＦＭスクリーンで形成する。【選択図】図１
2004291282.tif 000002
【特許請求の範囲】
【請求項１】
複数の印刷ロールを用いて複数色に重ね刷りするグラビア印刷方法において、墨と白の印刷を行う印刷ロールについてはセルがＡＭスクリーンで形成され、藍、赤、黄の印刷を行う印刷ロールについてはセルがＦＭスクリーンで形成されていることを特徴とするグラビア印刷方法。
【請求項２】
〔請求項１〕に記載のグラビア印刷方法で印刷されたことを特徴とするグラビア印刷物。
【発明の詳細な説明】
【０００１】
【発明の属する技術分野】
本願発明は、複数の印刷ロールを用いて複数色に重ね刷りするグラビア印刷方法において、墨や白色の印刷についてはその印刷を行うグラビア印刷ロールのセルの構成が濃いインキ濃度が得られるように形成され、藍、赤、黄等の印刷についてはその印刷を行うグラビア印刷ロールのセルの構成が高精細なグラデーションの印刷が行えてかつ重ね刷りが行われてもモアレが生じ難い印刷が行えるグラビア印刷方法及びグラビア印刷物に関するものである。
【０００２】
【従来の技術】
図４は通常のグラビア版のＡＭスクリーン（Ａｍｐｌｉｔｕｄｅ  Ｍｏｄｕｌａｔｉｏｎ  Ｓｃｒｅｅｎ）を示す。グラビア版では、階調表現を網点の大小で表し、ドクターでインキをセルに入れ余分なインキを掻き取る必要があるので、最シャドウ部のスクリン線の面積は２０％〜３０％になる。すなわち、グラビア版では、印刷物のグラデーション０〜１００％に対して版のグラデーションは０〜７５％前後で表現する版として構成される。
グラビア版は、彫刻法によるセルの形成方法と、感光膜塗布・露光・現像・エッチングによるセルの形成方法（以下、エッチング法という）とがあり、彫刻法によるセルの形成方法は、セルが四角錐に形成されるのでハイライト部におけるインキの転移が良好である。エッチング法は、セルが浅い皿状の凹部に形成されるので、セルが非常に小さいハイライト部においてインキがセル内に詰まってしまうことに起因してインキの転移が彫刻法よりも劣っている一方、最シャドウ部のスクリン線の交差部をインキが流れるように欠いて交差部にインキが確実に転移し得るとともに文字の輪郭をギザギザがないアウトラインとすることが出来るメリットがあり、さらに、最シャドウ部のセルも浅いので水性インキを使用する印刷に適している。
【０００３】
図５はオフセット印刷版やフレキソ印刷版のＡＭスクリーンを示す。オフセット印刷版等のＡＭスクリーンも階調表現を網点の大小で表すが、グラビア版とは異なりスクリン線が不要なので、印刷物のグラデーション０〜１００％に、版のグラデーションが０〜１００％と略正確に対応している。
【０００４】
近年、オフセット印刷やフレキソ印刷の分野では、図４に示す従来のＡＭスクリーン方式に替えて、図５に示すように、階調表現を微小網点の個数で表すＦＭスクリーン方式が欧米を中心に実用化されはじめている。ＦＭスクリーン技術は、微細構造表現力が使用される最小描画ドットの解像度を得られるため、低解像度の出力機であるプリンターやオンデマンド印刷機からの出力においても画像品質向上が期待されているが、グラビア印刷ではドクターでインキをセルに入れ余分なインキを掻き取るためのスクリン線がないので全く適用する試みがなかった。
【０００５】
以下に、オフセット印刷やフレキソ印刷の分野で適用されているＦＭスクリーン方式について、日本印刷産業連合会がインターネットに公表しているメリットについて抜粋して列記する。
（１）  ＦＭスクリーンは、ＡＭスクリーン（図４）のように網点形状が規則的に配列されてはいないので、障害となるようなモアレの発生を避けることができる。ＡＭスクリーンでは各版にスクリーン角度を設定して出力モアレが最小になるようにしているが、ＦＭスクリーンでは点が散在しているので出力モアレが生じない。又、ＦＭスクリーンは、ロゼッタパターンが発生しない。ＡＭスクリーンではハイライトから中間にかけて、亀甲模様のパターンが出るが、ＦＭスクリーンではこれが生じない。５色以上の印刷でも線切れが起こらない。
（２）  ＦＭスクリーンは、ハイライトからシャドーまでの全階調にわたって、網点サイズを小さくできるので高解像度の印刷再現ができる。スクリーンは概ね３０％濃度付近までは最小ドットがくっつかないで分布している。
（３）  ＦＭスクリーンは、デンシティージャンプが目立たない。ＡＭスクリーンで５０％付近の網点で発生するデンシティージャンプ（濃度の段付き）は、ＦＭスクリーンでは目立たない。これはスクリーンは中間付近における網点では隣の点との接触がランダムになるので、濃度の段付きが少なくなるからである。
（４）  ＦＭスクリーンは、色調が鮮やかに表現される。原色に近い色、彩度の高い色がプロセス４色で再現でき、よりリアルな表現効果を発揮できる。
（５）  ＦＭスクリーンは、同じ出力データ容量であればＡＭスクリーンよりも高解像にできる。網点同士の間隔を小さくできるから、出力データ容量が同じであればドット径を小さくすることで、ＡＭスクリーンよりも高解像にできる。ＦＭスクリーンは最小描画ドットが物理的な解像度になるので、スクリーンより少ない画像データ（スクリーンの３２〜５１％）で済むことが期待できる。又、１７５線のＡＭスクリーンと同等の解像度を得るにはドット径を大きくできるので、同じ入力データ量から作成するＦＭスクリーンは相対的に小さな画像データ量で済む。このため、大ドット径のＦＭスクリーンでスクリーン１７５線相当の品質が実現できれば、製版・出力工程の処理時間や待ち時間の短縮、生産性向上も期待できる。
（６）  ＦＭスクリーンは、最小描画ドットが物理的解像度になりＡＭスクリーンよりも高解像度を得やすい。階調数は高精細をＡＭスクリーンで実現するために高スクリーン線数では階調数が低下するが、ＦＭスクリーンはそのようなことがない。
（７）  ＦＭ印刷物はＡＭ印刷物に比較して中間〜シャドー部の調子が上がり、ハイライト〜中間部はＡＭとほぼ同等〜低めに出る。シャドー側のコントラストを表わすＫ値は、全般的にＦＭは小さい。インキベタ濃度は、小ドット径を使用する高精細用途のＦＭスクリーンにおいては高スクリーン線数のＡＭスクリーンと同様に網部分で高濃度が得にくい。
【０００６】
従来のグラビア印刷ロールは、全てＡＭスクリーンのセルが形成されていて、ＦＭスクリーンのセルで形成されているものはない。彫刻法では、ＦＭスクリーンを彫刻することは不可能であるが、フォトリソグラフィー法では可能性がある。
本願明細書において、ＡＭスクリーンのセルとは、感光膜塗布−レーザー露光・潜像形成−現像−エッチングの工程からなるレーザー製版で作られ配列ピッチが一定していてかつセルの大きさが変化するセルと、電子彫刻機のダイヤモンドのスタイラスで作られ配列ピッチが一定していてかつセルの大きさ及び深さが変化しているセルの両方、その他の配列ピッチが一定しているセルを指称する。
【０００７】
従来において、文字の輪郭の鋭利性が必要なグラビア製版やシャドー部に十分な濃度が必要なグラビア製版には、感光膜塗布−レーザー露光・潜像形成−現像−エッチングの工程からなるレーザー製版が多く利用され、写真部の多い画像にはインクの中抜けによる転移不良が少ない電子彫刻機によるグラビア製版が利用されることが多かった。
又、多色刷グラビア印刷の製版をするにあたり、それぞれの製版の特徴を活かして、文字・細線版を網グラビア、写真部のある版を電子彫刻機と使い分けるケースがあった。
しかし、不用意に彫刻版と網グラビアの製版を組み合わせるとモアレが発生する画像があり、使用に対して制限があった。
【０００８】
【発明が解決しようとする課題】
本願発明は、上述した点に鑑み案出したもので、複数の印刷ロールを用いて複数色に重ね刷りするグラビア印刷方法において、墨や白色の印刷についてはその印刷を行うグラビア印刷ロールのセルの構成が濃いインキ濃度が得られるように形成され、藍、赤、黄等の印刷についてはその印刷を行うグラビア印刷ロールのセルの構成が高精細なグラデーションの印刷が行えてかつ重ね刷りが行われてもモアレが生じ難い印刷が行えて、従来のＡＭスクリーンのセルを有するグラビア印刷ロールで印刷した場合に比べて、高精細なグラビア印刷が得られる、グラビア印刷方法及びグラビア印刷物を提供することを目的としている。
本願発明は、ＦＭスクリーンとした場合に生じる濃度不足の問題についてはＡＭスクリーンとすることで回避でき、又、ＡＭスクリーンとした場合に生じるハイライト部のインキの転移不良や傾斜細線や曲線の輪郭不明瞭・モアレ発生の問題についてはＦＭスクリーンとすることで回避できかつ上述したＦＭスクリーンのメリットを享受できる、グラビア印刷方法及びグラビア印刷物を提供することを目的としている。
【０００９】
【課題を解決するための手段】
本願発明は、複数の印刷ロールを用いて複数色に重ね刷りするグラビア印刷方法において、墨と白の印刷を行う印刷ロールについてはセルがＡＭスクリーンで形成され、藍、赤、黄の印刷を行う印刷ロールについてはセルがＦＭスクリーンで形成されていることを特徴とするグラビア印刷方法を提供するものである。
［請求項２］に記載の発明は、〔請求項１〕に記載のグラビア印刷方法で印刷されたことを特徴とするグラビア印刷物を提供できる。
【００１０】
【発明の実施の形態】
例えば、５本の印刷ロールを用いて墨と藍と赤と黄と白の５色に重ね刷りするグラビア印刷の場合のグラビア印刷方法は、図１に示すように、第一の印刷ステーションにグラビア印刷ロールＲ１を取り付けて墨色を印刷し、第二の印刷ステーションにグラビア印刷ロールＲ２を取り付けて藍色を印刷し、第三の印刷ステーションにグラビア印刷ロールＲ３を取り付けて赤色を印刷し、第四の印刷ステーションにグラビア印刷ロールＲ４を取り付けて黄色を印刷し、第五の印刷ステーションにグラビア印刷ロールＲ５を取り付けて白色を印刷する。
墨色と白色を印刷は、その印刷を行うグラビア印刷ロールの版画像１又は５を形成するセルの構成が図２に示すＡＭスクリーンでできているので濃いインキ濃度が得られる。
又、藍色と赤色と黄色の印刷は、各印刷を行うグラビア印刷ロールの版画像２又は３又は４を形成するセルの構成が図３に示すＦＭスクリーンでできているので、高精細なグラデーションの印刷が行えてかつ重ね刷りが行われてもモアレが生じ難い印刷が行える。
従って、濃いインキ濃度が必要な文字及びレタリング画像等は墨色と白色の印刷とするか、又は、図示していないが、特色を設けてＡＭスクリーンのセルで構成されたロールとして印刷する。又、グラデーションで表現される写真画像及び細い線について墨色と白色以外の色で印刷を行う場合には、ＦＭスクリーンのセルで構成されたロールとして印刷する。
【００１１】
図２に示すＡＭスクリーンは、電子彫刻機によるセルの形成方法と、感光膜塗布・露光・現像・エッチングによるセルの形成方法のいずれにより形成されても良い。
【００１２】
図３において、Ａ１は、版を形成する前の版情報として０％〜１００％のグラデーションを用意した場合、これをＦＭスクリーニングプログラムによりＦＭスクリーニングを行なって得られるＦＭスクリーンのデジタル情報を表示したものである。Ｂ１は、版を形成する前の版情報をＡＭスクリーニングしてシャドウ部の領域又は中間調部のシャドウ部寄りからシャドウ部の領域に対応して得られたＡＭスクリーンの最シャドウ部のスクリン線で表示されるＡＭスクリーン情報を表示したものである。Ｃ１は、Ａ１に示すＦＭスクリーンのデジタル情報と、Ｂ１に示すＡＭスクリーンのスクリン線のみのデジタル情報とを重畳させたデジタル版情報を表示したものである。
【００１３】
従って、版Ｃ１は、版を形成する前の版情報に対して、最少セルがインキの転移が良好に行なわれる所要の大きさであるようにしてハイライト部からシャドウ部までの領域をＦＭスクリーニングしてなるＦＭスクリーン情報Ａ１（光学情報として図示している）の中間調部のシャドウ部寄りからシャドウ部までの領域に、グラビア版のＡＭスクリーンの最シャドウ部のスクリン線のみの情報Ｂ１（光学情報として図示している）を重畳させて作られていることにより、ハイライト部から中間調部までの領域では純粋にＦＭスクリーンでありザラツキの発生がなく、しかも、最少セルがインキの転移が良好に行なわれる所要の大きさに規制されており、中間調部から桝目状のＡＭスクリーンがＦＭスクリーンがベースに徐々に発生して、シャドウ部の領域では完全にＡＭスクリーンになるグラビア印刷版となっている。
【００１４】
図３中の版Ｃ１に示すＦＭスクリーンは、感光膜塗布・レーザー露光・現像・エッチングによるセルの形成方法により形成されるか、又は、レーザー彫刻法によるセルの形成方法のいずれかにより形成される。
ＦＭスクリーンは、電子彫刻機では作れないから、ＡＭスクリーンとＦＭスクリーンとを混ぜ合わせた版は、感光膜塗布・レーザー露光・現像・エッチングによるセルの形成方法により形成されるか、又は、レーザー彫刻法によるセルの形成方法のいずれかにより形成されると工数がかからず好ましい。
【００１５】
このグラビア印刷版は、シャドー部においてはグラビア印刷に必要な桝目状のＡＭスクリーンでありかつ桝目内にＦＭスクリーンのドットがあり光学濃度が偏重しており印刷物において十分な光学濃度を得られ、シャドー部から中間調部に移行する領域は、桝目状のＡＭスクリーンが徐々に消えてＦＭスクリーンのドットに移行していき、中間調部からハイライト部では、グラビア版のＡＭスクリーンの最シャドウ部のスクリン線を重畳させていないので純粋にＦＭスクリーンであり、しかも最少セルがインキの転移が良好に行なわれる所要の大きさに規制されているからインクの転移が良好で、ＦＭスクリーンの優れている点が得られる。
【００１６】
製版方法は、デジタル版情報をＹ，Ｍ，Ｃの三色に色分解してさらに、ハイライト部からシャドウ部までの領域を、最少セルがインキの転移が良好に行なわれる所要の大きさに規制される改良したプログラムによりＦＭスクリーニングを行なって版情報を得るとともに、改良したＡＭスクリーニングプログラムでＡＭスクリーニングを行なって中間調部のシャドウ部よりからシャドウ部にかけてグラビア版のＡＭスクリーンの最シャドウ部のスクリン線で表示される版情報を得て、両版情報を重畳させて、この版情報に基づいて製版する。
【００１７】
【発明の効果】
以上の説明で明らかなように、本願発明は、
複数の印刷ロールを用いて複数色に重ね刷りするグラビア印刷方法において、墨や白色の印刷についてはその印刷を行うグラビア印刷ロールのセルの構成が濃いインキ濃度が得られるように形成され、藍、赤、黄等の印刷についてはその印刷を行うグラビア印刷ロールのセルの構成が高精細なグラデーションの印刷が行えてかつ重ね刷りが行われてもモアレが生じ難い印刷が行えて、従来のＡＭスクリーンのセルを有するグラビア印刷ロールで印刷した場合に比べて、高精細なグラビア印刷が得られる、グラビア印刷方法及びグラビア印刷物を提供できる。
又、本願発明は、ＦＭスクリーンとした場合に生じる濃度不足の問題についてはＡＭスクリーンとすることで回避でき、又、ＡＭスクリーンとした場合に生じるハイライト部のインキの転移不良や傾斜細線や曲線の輪郭不明瞭・モアレ発生の問題についてはＦＭスクリーンとすることで回避できかつ上述したＦＭスクリーンのメリットを享受できる、グラビア印刷方法及びグラビア印刷物を提供できる。
【図面の簡単な説明】
【図１】本願発明の実施の形態にかかり、５本の印刷ロールを用いて墨と藍と赤と黄と白の５色に重ね刷りするグラビア印刷の場合のグラビア印刷方法を示す説明図。
【図２】従来使用されており、及び本願発明で使用されるグラビア版の通常のＡＭスクリーンを示す図。
【図３】本願発明で使用されるＦＭスクリーンのグラデーションを示す図。
【図４】従来のオフセット印刷等に用いられる通常のＡＭスクリーンを示す図。
【図５】従来のオフセット印刷等に用いられるＦＭスクリーンを示す図。
【図１】
2004291282.tif 000003
【図２】
2004291282.tif 000004
【図３】
2004291282.tif 000005
【図４】
2004291282.tif 000006
【図５】
2004291282.tif 000007